(57)【要約】【課題】周波数帯域などの仕様の異なる複数の無線通信装置の動作を一括して的確に診断することのできる監視システムを提供することである。【解決手段】実施形態の監視システムは、受信装置と監視装置とを備える。前記受信装置は、複数の診断対象の無線通信装置が通信に利用し前記複数の診断対象の無線通信装置ごとに異なる通信周波数帯域の全てを含む包括周波数帯域により送信される各信号を受信し、受信した各信号を含む受信データを前記監視装置に出力する。前記監視装置は、検出部と監視部とを備える。前記検出部は、前記受信データに含まれる信号のうち、前記通信周波数帯域ごとの信号に基づいて、前記複数の診断対象の無線通信装置に対応して定められた所定の検出項目について検出を行う。前記監視部は、前記検出部の検出結果に基づいて、前記複数の診断対象の無線通信装置ごとの動作について診断する。【選択図】図３
2015056802.tif 000002
【特許請求の範囲】
【請求項１】
受信装置と監視装置とを備え、
前記受信装置は、
複数の診断対象の無線通信装置が通信に利用し前記複数の診断対象の無線通信装置ごとに異なる通信周波数帯域の全てを含む包括周波数帯域により送信される各信号を受信し、受信した各信号を含む受信データを前記監視装置に出力し、
前記監視装置は、
前記受信データに含まれる信号のうち、前記通信周波数帯域ごとの信号に基づいて、前記複数の診断対象の無線通信装置に対応して定められた所定の検出項目について検出を行う検出部と、
前記検出部の検出結果に基づいて、前記複数の診断対象の無線通信装置ごとの動作について診断する監視部と
を備える監視システム。
【請求項２】
前記監視部は、
受信データに含まれる前記通信周波数帯域以外の周波数帯域の信号の有無に基づいて、前記診断対象の無線通信装置以外の無線通信装置の存在について判定する
請求項１に記載の監視システム。
【請求項３】
３以上の前記受信装置を備え、
前記検出部は、
前記３以上の受信装置のそれぞれが出力した受信データに共通に含まれる通信周波数帯域の信号に基づいて、前記通信周波数帯域を利用して信号を送信した送信源の位置を検出し、
前記監視部は、
前記検出部が検出した送信源の位置が、対応の診断対象の無線通信装置が設置されている位置と異なる場合に、診断対象の無線通信装置以外の無線通信装置が存在すると判定する
請求項１または２に記載の監視システム。
【請求項４】
前記３以上の受信装置のそれぞれが出力した受信データに共通に含まれる通信周波数帯域以外の周波数帯域の信号に基づいて、前記通信周波数帯域以外の周波数帯域を利用して信号を送信した診断対象の無線通信装置以外の無線通信装置の位置を検出する
請求項３に記載の監視システム。
【発明の詳細な説明】
【技術分野】
【０００１】
本発明の実施形態は、監視システムに関する。
【背景技術】
【０００２】
人手による無線通信装置の試験、調整などの手間を省くことを目的として、故障の有無についての自己診断を行うようにされた無線通信装置が知られている（例えば、特許文献１参照）。
【先行技術文献】
【特許文献】
【０００３】
【特許文献１】特開２０１２−８０３２３号公報
【発明の概要】
【発明が解決しようとする課題】
【０００４】
しかし、無線通信装置自体の故障などによって自己診断機能そのものが正常に動作しなくなるような状況におちいる可能性は避けられない。このように無線通信装置の自己診断機能が正常に動作しなくなることによっては、無線通信装置の異常の発見が遅れるなどの不具合が生じる。
【０００５】
例えば、飛行場などでは、周波数帯域などの仕様がそれぞれ異なる複数の航空用無線通信装置が配置され、各航空用無線通信装置は特定の航空機と通信を行うようにされている。このように、仕様の異なる複数の無線通信装置を配置するような環境においては、特に、異常の発見がさらに遅れる可能性が高い。また、正常な無線通信装置と異常が発生した無線通信装置が混在することになるため、正常に動作しなくなった無線通信装置を特定することも困難になる。
【０００６】
本発明が解決しようとする課題は、周波数帯域などの仕様の異なる複数の無線通信装置の動作を一括して的確に診断することのできる監視システムを提供することである。
【課題を解決するための手段】
【０００７】
実施形態の監視システムは、受信装置と監視装置とを備える。前記受信装置は、複数の診断対象の無線通信装置が通信に利用し前記複数の診断対象の無線通信装置ごとに異なる通信周波数帯域の全てを含む包括周波数帯域により送信される各信号を受信し、受信した各信号を含む受信データを前記監視装置に出力する。前記監視装置は、検出部と監視部とを備える。前記検出部は、前記受信データに含まれる信号のうち、前記通信周波数帯域ごとの信号に基づいて、前記複数の診断対象の無線通信装置に対応して定められた所定の検出項目について検出を行う。前記監視部は、前記検出部の検出結果に基づいて、前記複数の診断対象の無線通信装置ごとの動作について診断する。
【図面の簡単な説明】
【０００８】
【図１】第１実施形態における監視システムの構成例を示す図。
【図２】第１実施形態における受信装置の構成例を示す図。
【図３】第１実施形態における監視装置の構成例を示す図。
【図４】第２実施形態における監視システムの構成例を示す図。
【図５】第２実施形態における受信装置の構成例を示す図。
【図６】第２実施形態における監視装置の構成例を示す図。
【図７】第３実施形態における監視装置の構成例を示す図。
【図８】第３実施形態における監視装置が実行する処理手順例を示すフローチャート。
【発明を実施するための形態】
【０００９】
以下、実施形態の監視システムについて図面を参照して説明する。
＜第１実施形態＞
［監視システムの構成例］
図１を参照して、本実施形態の監視システム２００の構成例及び監視システム２００の設置環境について説明する。同図に示すように、本実施形態の監視システム２００は、飛行場１０において設置される。
飛行場１０には、航空機と通信するための航空用の無線通信装置が複数設置されている。飛行場１０が備える航空用の無線通信装置の数については特に限定されないが、同図では、第１無線通信装置１００−１、第２無線通信装置１００−２、第３無線通信装置１００−３の３つの航空用の無線通信装置を設置した例を示している。
なお、以降の説明にあたり、第１無線通信装置１００−１、第２無線通信装置１００−２、第３無線通信装置１００−３のそれぞれについて特に区別しない場合には、無線通信装置１００と記載する。
【００１０】
第１無線通信装置１００−１、第２無線通信装置１００−２、第３無線通信装置１００−３は、それぞれ、航空管制などのために特定の航空機と無線通信を実行する。
第１無線通信装置１００−１、第２無線通信装置１００−２、第３無線通信装置１００−３は、それぞれ、通信に関する仕様が異なっている。具体的には、第１無線通信装置１００−１、第２無線通信装置１００−２、第３無線通信装置１００−３は、それぞれ、通信に利用する周波数帯域（通信周波数帯域）、送信レベル、送信信号のパルス幅などが異なっている。
また、第１無線通信装置１００−１、第２無線通信装置１００−２、第３無線通信装置１００−３は、飛行場１０においてそれぞれ異なる位置にて固定的に設置されている。
第１無線通信装置１００−１、第２無線通信装置１００−２、第３無線通信装置１００−３は、次に説明する監視システム２００による動作の診断対象である。
【００１１】
監視システム２００は、監視動作の１つとして、第１無線通信装置１００−１、第２無線通信装置１００−２、第３無線通信装置１００−３の各動作についての診断を行う。
監視システム２００は、受信装置２０１、監視装置２０２及びモニタ２０３を備える。
【００１２】
受信装置２０１は、３つの無線通信装置１００ごとに対応する通信周波数帯域の全てを含む包括周波数帯域において複数の送信源から送信された各信号を受信し、受信した各信号を含む受信データを監視装置２０２に出力する。
このために、受信装置２０１は、例えば、第１無線通信装置１００−１、第２無線通信装置１００−２、第３無線通信装置１００−３のそれぞれの通信周波数帯域に対応するアンテナＡＮＴ１、ＡＮＴ２、ＡＮＴ３を備える。本実施形態においては、例えばアンテナＡＮＴ１、ＡＮＴ２、ＡＮＴ３にてカバーされる周波数帯域が包括周波数帯域である。
受信装置２０１は、包括周波数帯域において送信源から送信される各信号を受信し、受信した各信号を混合する。受信装置２０１は、混合された信号を受信データとして監視装置２０２に伝送する。
【００１３】
監視装置２０２は、受信装置２０１から伝送された受信データに基づき、第１無線通信装置１００−１、第２無線通信装置１００−２、第３無線通信装置１００−３ごとの動作について診断する。つまり、監視装置２０２は、無線通信装置１００ごとの動作が正常であるか否かについて判定する。
監視装置２０２は、上記の診断結果を示す監視画像を所定の態様によりモニタ２０３に表示させることができる。
【００１４】
なお、飛行場１０において、受信装置２０１と監視装置２０２は遠隔して設置されてよい。例えば、受信装置２０１については、無線通信装置１００の各々から送信される電波を受信するのに適した場所に設置し、監視装置２０２については、例えば管制塔などのように、監視者が常駐している場所に設置するというように設置場所を分けることができる。
【００１５】
［受信装置の構成例］
図２を参照して、本実施形態の監視システム２００が備える受信装置２０１の構成例について説明する。
同図に示す受信装置２０１は、混合部２１１、ＡＤ変換部２１２、受信データ伝送部２１３を備える。
【００１６】
混合部２１１は、アンテナＡＮＴ１、ＡＮＴ２及びＡＮＴ３にて受信された各信号を混合し、混合した信号を出力する。
このように出力される信号は、例えば第１無線通信装置１００−１、第２無線通信装置１００−２、第３無線通信装置１００−３のそれぞれが送信した信号でだけではなく、包括周波数帯域における周波数帯域を利用して他の送信源が信号を送信している場合には、このような他の送信源から受信した信号も含む。つまり、混合部２１１から出力される信号は、包括周波数帯域における或る周波数帯域において受信された全ての信号を成分として含む。
【００１７】
混合部２１１から出力される信号はアナログである。そこで、ＡＤ変換部２１２は、混合部２１１から出力されるアナログの信号をデジタルに変換する。
受信データ伝送部２１３は、ＡＤ変換部２１２から出力されたデジタルの信号を受信データとして監視装置２０２に伝送する。なお、受信データ伝送部２１３が対応する伝送方式については特に限定されるものではなく、有線による伝送であっても、無線による伝送であってもよい。
【００１８】
［監視装置の構成例］
図３を参照して、本実施形態の監視システム２００が備える監視装置２０２の構成例について説明する。
【００１９】
同図に示す監視装置２０２は、受信データ入力部２２１、分配部２２２、受信データ記録部２２３、検出部２２４、監視部２２５及び表示制御部２２６を備える。
【００２０】
受信データ入力部２２１は、受信装置２０１から伝送される受信データを入力する。
【００２１】
前述のように、受信装置２０１が伝送する受信データは、第１無線通信装置１００−１、第２無線通信装置１００−２、第３無線通信装置１００−３に対応する各通信周波数帯域を含む所定の包括周波数帯域において受信された信号をすべて含んでいる。
そこで、分配部２２２は、受信データから、無線通信装置１００ごとに対応する通信周波数帯域の信号を分離し、分離した信号のそれぞれを検出部２２４に出力する。
【００２２】
前述のように、受信装置２０１は、包括周波数帯域に含まれる周波数帯域にて受信された全ての信号を含む受信データを出力する。従って、受信装置２０１は、無線通信装置１００のそれぞれに対応する通信周波数以外の周波数帯域の信号がある場合、各無線通信装置１００に対応する通信周波数の信号とともに、通信周波数以外の周波数帯域の信号も受信する。
受信データに、通信周波数以外の周波数帯域の信号が含まれている場合、分配部２２２は、通信周波数以外の周波数帯域による信号も受信データからさらに分離し、分離した信号を検出部２２４に出力する。
【００２３】
受信データ記録部２２３は、受信データが入力した受信データを記録する。記録された受信データは、例えば、無線通信装置１００のいずれかに異常が発生したような場合に、異常の状態の確認や異常発生の原因の調査などに利用される。
【００２４】
検出部２２４は、分配部２２２にて各無線通信装置１００が対応する通信周波数帯域ごとに対応して分離された信号に基づいて、無線通信装置１００に対応して定められた所定の検出項目についての検出を行う。本実施形態において、検出部２２４は、検出項目として、送信レベル、パルス幅及び周波数の３つを検出する。
【００２５】
送信レベルは、対応の通信周波数帯域にて受信された信号の送信時のレベルである。
パルス幅は、対応の通信周波数帯域にて受信された信号のパルスの間隔である。
周波数は、対応の通信周波数帯域にて受信された信号の周波数であり、より具体的には、帯域幅、中心周波数などである。
これらの送信レベル、パルス幅、周波数の各検出項目は、無線通信装置１００の仕様に応じて、無線通信装置１００ごとに固有となる。
【００２６】
また、検出部２２４は、診断対象外信号の存在の有無についての検出を行う。診断対象外信号とは、包括周波数帯域において、無線通信装置１００の通信周波数帯域とは異なる診断対象外の周波数帯域にて受信された信号である。なお、診断対象外信号は、飛行場１０での使用が認められていない不正な無線通信装置が、包括周波数帯域において診断対象外の特定の周波数帯域により信号を送信している場合に、不正な無線通信装置が送信する信号を受信することによって得られる。
【００２７】
上記のような診断対象外信号が受信データに含まれている場合、分配部２２２は、通信周波数帯域の信号とともに、診断対象外信号も分離して検出部２２４に出力するように動作する。
そこで、検出部２２４は、分配部２２２から入力される診断対象外信号の有無に基づいて、診断対象外信号の有無について検出することができる。
【００２８】
これまでに説明した機能の実現のために、検出部２２４は、第１無線通信装置１００−１の通信周波数帯域に対応して、レベル検出部２３１−１、パルス幅検出部２３２−１、周波数検出部２３３−１を備える。
また、検出部２２４は、第２無線通信装置１００−２の通信周波数帯域に対応して、レベル検出部２３１−２、パルス幅検出部２３２−２、周波数検出部２３３−２を備える。
また、検出部２２４は、第３無線通信装置１００−３の通信周波数帯域に対応して、レベル検出部２３１−３、パルス幅検出部２３２−３、周波数検出部２３３−３を備える。
また、検出部２２４は、３つの無線通信装置１００の通信周波数帯域以外の周波数帯域に対応して、診断対象外信号検出部２４１を備える。
【００２９】
レベル検出部２３１−１、パルス幅検出部２３２−１、周波数検出部２３３−１は、分配部２２２が分離する信号のうち、第１無線通信装置１００−１の通信周波数帯域により受信された信号（以下、第１信号とも呼ぶ）を入力する。
レベル検出部２３１−１は、入力された第１信号の送信レベルを検出する。レベル検出部２３１−１は、例えば受信された信号のレベルと、対応の通信周波数帯域を利用する無線通信装置１００と受信装置２０１との間の伝送路特性などに基づいて送信レベルを検出することができる。
パルス幅検出部２３２−１は、入力された第１信号のパルス幅を検出する。
周波数検出部２３３−１は、入力された第１信号の周波数を検出する。
レベル検出部２３１−１、パルス幅検出部２３２−１、周波数検出部２３３−１は、それぞれ、検出結果を監視部２２５に出力する。
【００３０】
レベル検出部２３１−２、パルス幅検出部２３２−２、周波数検出部２３３−２は、分配部２２２が分離する信号のうち、第２無線通信装置１００−２の通信周波数帯域により受信された信号（以下、第２信号とも呼ぶ）を入力する。
レベル検出部２３１−２は、入力された第２信号の送信レベルを検出する。
パルス幅検出部２３２−２は、入力された第２信号のパルス幅を検出する。
周波数検出部２３３−２は、入力された第２信号の周波数を検出する。
レベル検出部２３１−２、パルス幅検出部２３２−２、周波数検出部２３３−２は、それぞれ、監視結果を監視部２２５に出力する。
【００３１】
また、レベル検出部２３１−３、パルス幅検出部２３２−３、周波数検出部２３３−３は、分配部２２２が分離する信号のうち、第３無線通信装置１００−３の通信周波数帯域により受信された信号（以下、第３信号とも呼ぶ）を入力する。
レベル検出部２３１−３は、入力された第３信号の送信レベルを検出する。
パルス幅検出部２３２−３は、入力された第３信号のパルス幅を検出する。
周波数検出部２３３−３は、入力された第３信号の周波数を検出する。
レベル検出部２３１−３、パルス幅検出部２３２−３、周波数検出部２３３−３は、それぞれ、監視結果を監視部２２５に出力する。
【００３２】
また、診断対象外信号検出部２４１は、分配部２２２が分離する信号のうち、３つの無線通信装置１００が対応する通信周波数帯域のいずれとも異なる診断対象外の周波数帯域にて受信された信号を入力する。分配部２２２は、診断対象外の周波数帯域にて受信された信号（診断対象外信号）が受信データに含まれていれば、受信データから診断対象外の信号を分離し、分離した診断対象外信号を診断対象外信号検出部２４１に出力する。
診断対象外信号検出部２４１は、診断対象外の周波数帯域にて受信された信号が入力されていないときには、診断対象外信号は無いものと検出し、診断対象外の周波数帯域にて受信された信号が入力されているときには、診断対象外信号が有るものと検出する。診断対象外信号検出部２４１は、検出結果を監視部２２５に出力する。
【００３３】
監視部２２５は、検出部２２４の検出結果に基づいて、複数の無線通信装置１００ごとの動作について診断する。
具体的に、監視部２２５は、レベル検出部２３１−１、パルス幅検出部２３２−１、周波数検出部２３３−１の検出結果に基づいて、第１無線通信装置１００−１が正常に動作しているか否かについて診断する。
このために、監視部２２５は、レベル検出部２３１−１が検出した送信レベルが、第１無線通信装置１００−１の仕様の下で定められた送信レベルに対して一定の誤差範囲内であるか否かについて判定する。
また、監視部２２５は、パルス幅検出部２３２−１が検出したパルス幅が、第１無線通信装置１００−１の仕様の下で定められたパルス幅に対して一定の誤差範囲内であるか否かについて判定する。
また、監視部２２５は、周波数検出部２３３−１が検出した周波数が、第１無線通信装置１００−１の仕様の下で定められた周波数に対して一定の誤差範囲内であるか否かについて判定する。
【００３４】
監視部２２５は、上記の送信レベルと、パルス幅と、周波数とのすべてについて一定の誤差範囲内であると判定した場合には、第１無線通信装置１００−１が正常に動作していると判定する。
一方、監視部２２５は、上記の送信レベルと、パルス幅と、周波数とのうちの少なくとも１つが誤差範囲を越えていると判定した場合には、第１無線通信装置１００−１の動作が異常であると判定する。
【００３５】
また、監視部２２５は、レベル検出部２３１−２、パルス幅検出部２３２−２、周波数検出部２３３−２の検出結果と、第２無線通信装置１００−２の仕様の下で定められた送信レベル、パルス幅、周波数とに基づいて、上記と同様にして、第２無線通信装置１００−２が正常に動作しているか否かについて判定する。
【００３６】
また、監視部２２５は、レベル検出部２３１−３、パルス幅検出部２３２−３、周波数検出部２３３−３の検出結果と、第３無線通信装置１００−３の仕様の下で定められた送信レベル、パルス幅、周波数とに基づいて、上記と同様にして、第３無線通信装置１００−３が正常に動作しているか否かについて判定する。
【００３７】
監視部２２５は、第１無線通信装置１００−１、第２無線通信装置１００−２、第３無線通信装置１００−３のそれぞれについて、正常に動作していると判定した場合には、正常似動作している旨を表示制御部２２６に通知する。
このような通知に応じて、表示制御部２２６は、第１無線通信装置１００−１、第２無線通信装置１００−２、第３無線通信装置１００−３がそれぞれ正常に動作していることを示す監視画面の表示がモニタ２０３にて行われるように表示制御を実行する。
【００３８】
また、監視部２２５は、第１無線通信装置１００−１、第２無線通信装置１００−２、第３無線通信装置１００−３のいずれかの動作が異常であると判定した場合には、判定対象の無線通信装置１００の動作が異常であることの通知を表示制御部２２６に対して行う。この際、監視部２２５は、送信レベル、パルス幅、周波数のうち、いずれに異常が発生していたのか（誤差範囲を超えていたのか）について通知してもよい。
上記の通知を受けた表示制御部２２６は、通知を受けた無線通信装置１００に異常が発生していることを所定の態様により示す監視画面を表示させる。なお、この際には、監視者に異常の発生をできるだけ早急に気付かせるために、警告音などを出力させるようにしてもよい。
そのうえで、表示制御部２２６は、異常が発生している検出項目が送信レベル、パルス幅、周波数のうちのいずれであるのかを示す通知を受けている場合には、異常が発生している検出項目を示す表示を行う。このように異常が発生している検出項目を示す表示が行われることで、例えば監視者は、異常発生の原因の特定などを行いやすくなる。
【００３９】
また、監視部２２５は、診断対象外信号の有無に基づいて、無線通信装置１００以外の不正な無線通信装置の存在について判定する。
前述のように、診断対象外信号検出部２４１は、診断対象外の周波数帯域の信号が分配部２２２から入力されなければ、診断対象外信号は無いものと検出し、診断対象外の周波数帯域の信号が分配部２２２から入力されれば、診断対象外信号が有るものと検出する。前述のように、診断対象外信号が無ければ、不正な無線通信装置は飛行場１０内に存在していないと判断できる。これに対して、診断対象外信号が有れば、飛行場１０内で、不正な無線通信装置が信号を発している状況にあると判断できる。つまり、不正な無線通信装置が飛行場１０内に存在しているいと判断できる。
【００４０】
そこで、監視部２２５は、診断対象外信号検出部２４１の検出結果が診断対象外信号の無いことを示していれば、不正な無線通信装置が存在していないと判定する。一方、監視部２２５は、診断対象外信号検出部２４１の検出結果が診断対象外信号の有ることを示していれば、不正な無線通信装置が存在すると判定する。
監視部２２５は、不正な無線通信装置の存在の有無に関しての判定結果を表示制御部２２６に通知する。
【００４１】
不正な無線通信装置が利用する周波数帯域は、同じ包括周波数帯域に含まれる正規の無線通信装置１００の通信周波数帯域に近接している。このために不正な無線通信装置から送信される信号によっては、正規の無線通信装置１００の正常な受信動作の障害となる可能性がある。
そこで、不正な無線通信装置が存在する旨の通知を受けた場合、表示制御部２２６は、不正な無線通信装置が存在していることを所定の態様により警告する監視画面を表示する。監視者は、このように不正な無線通信装置の存在を警告する監視画面を見ることにより、不正な無線通信装置の存在を把握し、不正な無線通信装置を排除するための対策をとることができる。
なお、このように不正な無線通信装置の存在を警告する際にも、例えば警告音などを併用して警告するようにすれば、監視者はより迅速に不正な無線通信装置の存在に気付くことができる。
【００４２】
＜第２実施形態＞
［監視システムの構成例］
続いて、図４を参照して、第２実施形態における監視システム２００Ａの構成例について説明する。なお、図４において、図１と同一部分には同一符号を付して説明を省略する。
図４に示すように、第２実施形態においても、監視システム２００Ａは飛行場１０に備えられる。また、飛行場１０においては、正規の無線通信装置として、図１と同様に、第１無線通信装置１００−１、第２無線通信装置１００−２、第３無線通信装置１００−３の３つが備えられる。
【００４３】
第２実施形態の監視システム２００Ａは、受信した信号の送信源の位置を特定するために、３以上の受信装置を備える。図４においては、受信装置として、第１受信装置２０１Ａ−１、第２受信装置２０１Ａ−２、第３受信装置２０１Ａ−３の３つを備えた例を示している。
第１受信装置２０１Ａ−１、第２受信装置２０１Ａ−２、第３受信装置２０１Ａ−３は、飛行場１０においてそれぞれ異なる位置に設置される。
なお、以降の説明にあたり、第１受信装置２０１Ａ−１、第２受信装置２０１Ａ−２、第３受信装置２０１Ａ−３について特に区別しない場合には、受信装置２０１Ａと記載する。
【００４４】
また、監視システム２００Ａは、上記のように受信装置２０１Ａが備えられるのに応じて、図１の監視装置２０２に代えて、監視装置２０２Ａを備える。
【００４５】
第１受信装置２０１Ａ−１は、図１に示した受信装置２０１が備えているのと同様のアンテナＡＮＴ１、ＡＮＴ２，ＡＮＴ３に加えて、さらにアンテナＡＮＴ４を備える。アンテナＡＮＴ４は、測位システムにおける衛星からの信号を受信する。同図においては、アンテナＡＮＴ４が、測位システムとしてＧＰＳ（Global Positioning System）に対応している例を示している。アンテナＡＮＴ４は、ＧＰＳ衛星３００が送信する信号を受信する。
【００４６】
第１受信装置２０１Ａ−１は、アンテナＡＮＴ１、ＡＮＴ２，ＡＮＴ３により、第１無線通信装置１００−１、第２無線通信装置１００−２、第３無線通信装置１００−３のそれぞれに対応する通信周波数帯域の全てを含む包括周波数帯域の信号を受信する。
そのうえで、第１受信装置２０１Ａ−１は、アンテナＡＮＴ４によりＧＰＳ衛星３００が送信する信号（ＧＰＳ信号）を受信する。ＧＰＳ衛星３００は、原子時計に基づく時刻情報を含めたＧＰＳ信号を送信している。第１受信装置２０１Ａ−１は、ＧＰＳ衛星３００から受信したＧＰＳ信号から時刻情報を取得する。
そして、第１受信装置２０１Ａ−１は、包括周波数帯域にて受信した信号と、時刻情報とを含む受信データＲｄ１を監視装置２０２Ａに送信する。
【００４７】
第２受信装置２０１Ａ−２と第３受信装置２０１Ａ−３も、それぞれ、アンテナＡＮＴ１、ＡＮＴ２，ＡＮＴ３、ＡＮＴ４を備えることで、包括周波数帯域の信号と、ＧＰＳ信号とを受信し、ＧＰＳ信号から時刻情報を取得する。第２受信装置２０１Ａ−２と第３受信装置２０１Ａ−３は、それぞれ、包括周波数帯域の信号と時刻情報を含む受信データＲｄ２、Ｒｄ３を監視装置２０２Ａに送信する。
【００４８】
［受信装置の構成例］
続いて、図５を参照して、第２実施形態における受信装置２０１Ａの構成例について説明する。同図に示す受信装置２０１Ａの構成は、第１受信装置２０１Ａ−１、第２受信装置２０１Ａ−２、第３受信装置２０１Ａ−３とで共通でよい。なお、図５において、図２と同一部分には同一符号を付している。
図５に示す受信装置２０１Ａは、混合部２１１、ＡＤ変換部２１２、受信データ伝送部２１３、分配部２１４、時刻情報取得部２１５、合成部２１６を備える。
【００４９】
受信装置２０１Ａにおける混合部２１１は、アンテナＡＮＴ１、ＡＮＴ２及びＡＮＴ３にて受信された、無線通信装置１００ごとに対応する通信周波数帯域の信号と、アンテナＡＮＴ４にて受信されたＧＰＳ信号とを混合し、混合した信号を出力する。
ＡＤ変換部２１２は、混合部２１１から出力されたアナログの信号をデジタルに変換して出力する。
分配部２１４は、ＡＤ変換部２１２から入力した信号について、無線通信装置１００ごとに対応する通信周波数帯域の信号とＧＰＳ信号とに分離する。
分配部２１４は、分離した無線通信装置１００ごとに対応する通信周波数帯域の信号を合成部２１６に出力し、分離したＧＰＳ信号を時刻情報取得部２１５に出力する。
【００５０】
時刻情報取得部２１５は、入力したＧＰＳ信号から時刻情報を取得し、合成部２１６に出力する。
合成部２１６は、分配部２１４から入力した無線通信装置１００ごとに対応する通信周波数帯域の信号と、時刻情報取得部２１５から入力した時刻情報とを合成した信号を受信データ伝送部２１３に出力する。
受信データ伝送部２１３は、合成部２１６から入力した信号を受信データＲｄ（Ｒｄ１、Ｒｄ２、Ｒｄ３）として監視装置２０２Ａに出力する。
【００５１】
なお、第２実施形態においても、図２と同様に、混合器２１１Ａにより混合した信号をＡＤ変換したうえで、受信データとしてそのまま監視装置２０２Ａに伝送してもよい。ただし、図５にて示したように、混合後の受信信号からＧＰＳ信号を分離して時刻情報を取得し、取得した時刻情報を通信周波数帯域の信号に合成して伝送した場合には、受信データにおいて、ＧＰＳ信号における時刻情報以外の不要な情報に対応する信号成分まで伝送する必要がなくなる。これにより、受信データとして伝送すべきデータ量が削減され、伝送効率を向上させることができる。
【００５２】
［監視装置の構成例］
続いて、図６を参照して、第２の実施形態における監視装置２０２Ａの構成例について説明する。なお、同図において、図３と同一部分には、同一符号を付している。
【００５３】
図６に示す監視装置２０２Ａにおいては、３つの受信装置２０１Ａが備えられるのに対応して、３つの受信データ入力部２２１−１、２２１−２、２２１−３と、同じく３つの分配部２２２−１、２２２−２、２２２−３が備えられる。
【００５４】
また、第２実施形態における検出部２２４は、検出項目として、送信レベル、パルス幅、周波数に加え、無線通信装置の位置を検出する。このため、検出部２２４は、第１無線通信装置１００−１、第２無線通信装置１００−２、第３無線通信装置１００−３の通信周波数帯域ごとに対応して位置検出部２３４−１、２３４−２、２３４−３をさらに備える。
また、検出部２２４は、診断対象外の周波数帯域に対応する位置検出部２４２をさらに備える。
【００５５】
受信データ入力部２２１−１は、第１受信装置２０１Ａ−１から出力される受信データＲｄ１を入力する。
受信データ入力部２２１−２は、第２受信装置２０１Ａ−２から出力される受信データＲｄ２を入力する。
受信データ入力部２２１−３は、第３受信装置２０１Ａ−３から出力される受信データＲｄ３を入力する。
【００５６】
第２実施形態における受信データ記録部２２３は、受信データ入力部２２１−１、２２１−２、２２１−３のそれぞれが入力した受信データＲｄ１、Ｒｄ２、Ｒｄ３を記録する。
このように記録される受信データＲｄ１、Ｒｄ２、Ｒｄ３は、それぞれＧＰＳ信号から取得した時刻情報を含んでいる。従って、受信データ記録部２２３が記録した、受信データＲｄ１、Ｒｄ２、Ｒｄ３は、時刻同期が図られた状態で記憶される。
【００５７】
分配部２２２−１は、受信データ入力部２２１−１が入力した受信データＲｄ１から、３つの無線通信装置１００ごとに対応する通信周波数帯域の各信号（第１信号、第２信号、第３信号）を分離する。なお、第１信号、第２信号、第３信号の各々には受信装置２０１Ａ−１が受信したＧＰＳ信号から取得した時刻情報が付加される。
分配部２２２−１は、上記のように分離した信号のうち、第１無線通信装置１００−１に対応する通信周波数帯域の信号（第１信号）を、検出部２２４におけるレベル検出部２３１−１、パルス幅検出部２３２−１、周波数検出部２３３−１及び位置検出部２３４−１に分岐して出力する。
分配部２２２−１は、第２無線通信装置１００−２に対応する通信周波数帯域の信号（第２信号）を、レベル検出部２３１−２、パルス幅検出部２３２−２、周波数検出部２３３−２及び位置検出部２３４−２に分岐して出力する。
分配部２２２−１は、第３無線通信装置１００−３に対応する通信周波数帯域の信号（第３信号）を、レベル検出部２３１−３、パルス幅検出部２３２−３、周波数検出部２３３−３及び位置検出部２３４−３に分岐して出力する。
【００５８】
また、分配部２２２−１は、診断対象外の周波数帯域の信号を受信した場合には、受信した信号を、検出部２２４における診断対象外信号検出部２４１と位置検出部２４２に分岐して出力する。診断対象外の周波数帯域の信号にも、受信装置２０１Ａ−１が受信したＧＰＳ信号から取得した時刻情報が付加される。
【００５９】
同様に、分配部２２２−２は、受信データ入力部２２１−２が入力した受信データＲｄ２から、３つの無線通信装置１００ごとに対応する通信周波数帯域の各信号（第１信号、第２信号、第３信号）を分離する。
分配部２２２−２は、上記のように分離した信号のうち、第１信号を、レベル検出部２３１−１、パルス幅検出部２３２−１、周波数検出部２３３−１及び位置検出部２３４−１に分岐して出力する。
分配部２２２−２は、第２信号を、レベル検出部２３１−２、パルス幅検出部２３２−２、周波数検出部２３３−２及び位置検出部２３４−２に入力する。
分配部２２２−２は、第３無線通信装置１００−３に対応する通信周波数帯域の信号（第３信号）を、レベル検出部２３１−３、パルス幅検出部２３２−３、周波数検出部２３３−３及び位置検出部２３４−３に分岐して出力する。
また、分配部２２２−２は、診断対象外の周波数帯域の信号を受信した場合には、受信した信号を診断対象外信号検出部２４１と位置検出部２４２に分岐して出力する。
【００６０】
分配部２２２−３は、受信データ入力部２２１−３が入力した受信データＲｄ３から、３つの無線通信装置１００ごとに対応する通信周波数帯域の各信号（第１信号、第２信号、第３信号）を分離する。
分配部２２２−３は、上記のように分離した信号のうち、第１信号を、レベル検出部２３１−１、パルス幅検出部２３２−１、周波数検出部２３３−１及び位置検出部２３４−１に分岐して出力する。
分配部２２２−３は、第２信号を、レベル検出部２３１−２、パルス幅検出部２３２−２、周波数検出部２３３−２及び位置検出部２３４−２に分岐して出力する。
分配部２２２−３は、第３信号を、レベル検出部２３１−３、パルス幅検出部２３２−３、周波数検出部２３３−３及び位置検出部２３４−３に分岐して出力する。
また、分配部２２２−３は、診断対象外の周波数帯域の信号を受信した場合には、受信した信号を診断対象外信号検出部２４１と位置検出部２４２に分岐して出力する。
【００６１】
上記のように、分配部２２２−１、２２２−２、２２２−３のそれぞれから信号が出力されることにより、検出部２２４における各部には、以下のように信号が入力される。
つまり、第１無線通信装置１００−１の通信周波数帯域に対応するレベル検出部２３１−１、パルス幅検出部２３２−１、周波数検出部２３３−１及び位置検出部２３４−１には、受信データＲｄ１、Ｒｄ２、Ｒｄ３のそれぞれから分離された３つの第１信号が入力される。
また、第２無線通信装置１００−２の通信周波数帯域に対応するレベル検出部２３１−２、パルス幅検出部２３２−２、周波数検出部２３３−２及び位置検出部２３４−２には、受信データＲｄ１、Ｒｄ２、Ｒｄ３のそれぞれから分離された３つの第２信号が入力される。
また、第３無線通信装置１００−３の通信周波数帯域に対応するレベル検出部２３１−３、パルス幅検出部２３２−２、周波数検出部２３３−３及び位置検出部２３４−３には、受信データＲｄ１、Ｒｄ２、Ｒｄ３のそれぞれから分離された３つの第３信号が入力される。
また、診断対象外信号検出部２４１と位置検出部２４２には、受信データＲｄ１、Ｒｄ２、Ｒｄ３のそれぞれから分離された信号のうちの診断対象外信号が入力される。
【００６２】
この場合のレベル検出部２３１−１は、それぞれ異なる受信装置２０１Ａにて受信された３つの第１信号を入力し、３つの第１信号ごとに検出した３つの送信レベルを監視部２２５に出力すればよい。
レベル検出部２３１−２も同様に、それぞれ異なる受信装置２０１Ａにて受信された３つの第２信号ごとに検出した３つの送信レベルを監視部２２５に出力すればよい。
レベル検出部２３１−３も同様に、それぞれ異なる受信装置２０１Ａにて受信された３つの第３信号ごとに検出した３つの送信レベルを監視部２２５に出力すればよい。
【００６３】
また、パルス幅検出部２３２−１は、それぞれ異なる受信装置２０１Ａにて受信された３つの第１信号を入力し、入力した３つの第１信号ごとに検出した３つのパルス幅を監視部２２５に出力すればよい。
パルス幅検出部２３２−２、２３２−３も、それぞれ異なる受信装置２０１Ａにて受信された各３つの第２信号、第３信号を入力し、入力した各３つの第２信号、第３信号ごとに検出した３つのパルス幅を監視部２２５に出力すればよい。
【００６４】
また、周波数検出部２３３−１は、それぞれ異なる受信装置２０１Ａにて受信された３つの第１信号を入力し、入力した３つの第１信号ごとに検出した３つの周波数を監視部２２５に出力すればよい。
周波数検出部２３３−２、２３３−３も、それぞれ異なる受信装置２０１Ａにて受信された各３つの第２信号、第３信号を入力し、入力した各３つの第２信号、第３信号ごとに検出した３つの周波数を監視部２２５に出力すればよい。
【００６５】
位置検出部２３４−１は、受信データＲｄ１、Ｒｄ２、Ｒｄ３のそれぞれから分離された３つの第１信号（受信データＲｄ１、Ｒｄ２、Ｒｄ３に共通に含まれる通信周波数帯域の信号）を利用して、第１信号を送信した送信源の位置を検出する。
具体的に、位置検出部２３４−１は、第１信号を送信した送信源の位置を検出にあたり、受信データＲｄ１、Ｒｄ２、Ｒｄ３のそれぞれから分離された３つの第１信号ごとに含まれる時刻情報を利用する。
受信データＲｄ１、Ｒｄ２、Ｒｄ３のそれぞれに含まれる時刻情報は、ＧＰＳ衛星３００から受信した信号に基づいて取得されるため、受信装置２０１Ａ−１、２０１Ａ−２、２０１Ａ−３は、同時点において同じ時刻を示す時刻情報を取得する。
これに対して、受信装置２０１Ａ−１、２０１Ａ−２、２０１Ａ−３から第１信号の送信源までの距離はそれぞれが異なっている。このために、同時刻において受信装置２０１Ａ−１、２０１Ａ−２、２０１Ａ−３が送信源から受信する第１信号におけるデータ位置は、送信源までの距離に応じて異なる。
そこで、位置検出部２３４−１は、３つの第１信号のそれぞれについて、共通のデータ位置に対応して時刻情報が示す時刻を求め、さらに求めた３つの時刻の間の差分（差分時刻）を求める。位置検出部２３４−１は、求めた差分時刻に基づいて、受信装置２０１Ａ−１、２０１Ａ−２、２０１Ａ−３のそれぞれから第１信号の送信源までの相対距離を求める。このように求められる３つの相対距離のうち、最も早く第１信号を受信した受信装置２０１に対応して求められる相対距離は「０」でよい。
そのうえで、位置検出部２３４−１は、求めた相対距離のそれぞれを半径とする３つの円（球でもよい）について、これらの３つの円（または球）が一点で交差する点（交点）が得られるまで等距離ずつ拡大させていく。このように得られる３つの円（または球）の交点に対応する位置が、第１信号の送信源の位置である。位置検出部２３４−１は、このように第１信号を送信した送信源の位置を求めることができる。
【００６６】
同様に、位置検出部２３４−２は、受信データＲｄ１、Ｒｄ２、Ｒｄ３のそれぞれから分離された３つの第２信号と各第２信号に付加された時刻情報とを利用して、第２信号の送信源の位置を検出する。
また、位置検出部２３４−３は、受信データＲｄ１、Ｒｄ２、Ｒｄ３のそれぞれから分離された３つの第３信号と各第３信号に付加された時刻情報とを利用して、第３信号の送信源の位置を検出する。
また、位置検出部２４２は、受信データＲｄ１、Ｒｄ２、Ｒｄ３のそれぞれから分離された、共通の診断対象外の周波数帯域による３つの信号と、各信号に付加された時刻情報とを利用して、診断対象外信号の送信源の位置を検出する。
【００６７】
なお、位置検出部２３４−１、２３４−２、２３４−３、２４２は、例えば、対応の３つの信号のそれぞれを利用して電波の到来方向を求め、求めた３つの到来方向の交点を、対応の信号を送信した送信源の位置として求めるようにしてもよい。
【００６８】
監視部２２５は、レベル検出部２３１−１が第１無線通信装置１００−１の通信周波数に対応して検出した送信レベルとして、受信データＲｄ１、Ｒｄ２、Ｒｄ３ごとに対応する３つの送信レベルを入力する。
【００６９】
このように１つの検出項目について複数の検出結果が得られる場合、監視部２２５による第１無線通信装置１００−１の診断手法としてはいくつか考えられる。
１つには、監視部２２５は、上記のように入力した３つの送信レベルのうちの所定数以上が一定の誤差範囲を越えていれば動作が異常であると診断すればよい。あるいは、監視部２２５は、入力した３つの送信レベルの平均値を求め、求めた平均値が一定の誤差範囲を越えていれば第１無線通信装置１００−１の動作が異常であると診断してもよい。
【００７０】
監視部２２５は、パルス幅検出部２３２−１が第１無線通信装置１００−１の通信周波数に対応して検出したパルス幅として、受信データＲｄ１、Ｒｄ２、Ｒｄ３ごとに対応する３つのパルス幅を入力する。
監視部２２５は、パルス幅に基づいても、上記の送信レベルに準じた診断手法により、第１無線通信装置１００−１について診断を行える。
【００７１】
また、監視部２２５は、周波数検出部２３３−１が第１無線通信装置１００−１の通信周波数に対応して検出した周波数として、受信データＲｄ１、Ｒｄ２、Ｒｄ３ごとに対応する３つの周波数を入力する。
監視部２２５は、周波数に基づいても、上記の送信レベルに準じた診断手法により、第１無線通信装置１００−１について診断を行える。
【００７２】
また、監視部２２５は、レベル検出部２３１−２、パルス幅検出部２３２−２、周波数検出部２３３−２のそれぞれから出力される各３つの検出結果に基づいて、上記と同様に、第２無線通信装置１００−２について診断を行える。
【００７３】
また、監視部２２５は、レベル検出部２３１−３、パルス幅検出部２３２−３、周波数検出部２３３−３のそれぞれから出力される各３つの検出結果に基づいて、上記と同様に、第３無線通信装置１００−３の動作が異常であるか否かについて診断を行える。
【００７４】
さらに、監視部２２５は、検出部２２４における診断対象外信号検出部２４１が診断対象外信号を検出するのに応じて、不正な無線通信装置が存在すると判定する。
第２実施形態における検出部２２４の構成では、診断対象外信号検出部２４１が診断対象外信号を検出したときには、併せて、位置検出部２４２が診断対象外信号の送信源の位置を検出する。これにより、監視部２２５は、位置検出部２４２が検出した位置を入力することで、不正な無線通信装置の位置を特定できる。
監視部２２５が特定した不正な無線通信装置の位置を表示制御部２２６に通知することによって、表示制御部２２６は、通知された不正な無線通信装置の位置を示す表示を監視画面上で行うことができる。
【００７５】
また、監視部２２５は、位置検出部２３４−１が検出する位置(検出位置)と、第１無線通信装置１００−１が設置されている位置（規定位置）とを比較する。
検出位置と規定位置とが同じである場合、監視部２２５は、第１信号の送信源が第１無線通信装置１００−１であると判定する。
一方、検出位置と規定位置とが異なる場合、監視部２２５は、第１無線通信装置１００−１ではなく、第１無線通信装置１００−１の通信周波数帯域と同じ周波数帯域を利用する不正な無線通信装置が第１信号の送信源であると判定する。つまり、この場合の監視部２２５は、第１無線通信装置１００−１の通信周波数帯域と同じ周波数帯域を利用する不正な無線通信装置が存在すると判定する。
【００７６】
同様に、監視部２２５は、位置検出部２３４−２が検出する検出位置と、第２無線通信装置１００−２が設置されている規定位置とに基づいて、第２信号の送信源が第２無線通信装置１００−２と不正な無線通信装置のいずれであるのかについて判定を行う。
【００７７】
同様に、監視部２２５は、位置検出部２３４−３が検出する検出位置と、第３無線通信装置１００−３が設置されている規定位置とに基づいて、第３信号の送信源が第３無線通信装置１００−３と不正な無線通信装置のいずれであるのかについて判定を行う。
【００７８】
このように、第２実施形態においては、正規の無線通信装置１００の診断のみではなく、位置検出の結果を利用して、より高い精度で不正な無線通信装置の有無についての判定を行える。さらに、不正な無線通信装置が存在していると判定した場合には、不正な無線通信装置の位置についても同時に検出することができる。これにより、不正な無線通信装置への対策を迅速かつ的確に行うことが可能になる。
【００７９】
＜第３実施形態＞
［概要］
上記の第１実施形態と第２実施形態における検出部２２４は、第１信号、第２信号、第３信号、診断対象外信号ごとに対応して検出項目を検出する検出部を備えている。これにより、検出項目の検出を、第１信号、第２信号、第３信号、診断対象外信号ごとに同時並行して実行することができる。
しかし、検出項目の検出については、例えば異なる周波数帯域ごとに対応する信号（第１信号、第２信号、第３信号、診断対象外信号）ごとに対応して時分割で順次実行することもできる。
そこで、第３実施形態として、異なる周波数帯域ごとに対応する信号ごとに、時分割で検出項目の検出を実行するようにした監視装置の構成について説明する。
【００８０】
［監視装置の構成例］
図７は、第３実施形態における監視装置２０２Ｂの構成例を示している。同図において、図６と同一部分には同一符号を付して説明を省略する。
同図に示す監視装置２０２Ｂは、分配部２２２−１、２２２−２、２２２−３に代えて、帯域分離部２２７−１、２２７−２、２２７−３を備える。
帯域分離部２２７−１は、所定タイミングにより、受信データＲｄ１から分離して検出部２２４に出力すべき信号の周波数帯域を切り替える。つまり、帯域分離部２２７−１は、第１無線通信装置１００−１、第２無線通信装置１００−２、第３無線通信装置１００−３に対応する各通信周波数帯域と、診断対象外の周波数帯域とで、所定タイミングで順次切り替えを行って、信号を分離する。
これにより、帯域分離部２２７−１は、所定タイミングごとに、受信データＲｄ１から、順次、第１信号、第２信号、第３信号、診断対象外信号を分離する。
【００８１】
同様に、帯域分離部２２７−２、２２７−３は、それぞれ、帯域分離部２２７−１に同期したタイミングで、受信データＲｄ２、Ｒｄ３から、順次、第１信号、第２信号、第３信号、診断対象外信号を分離する。
【００８２】
これにより、検出部２２４には、帯域分離部２２７−１、２２７−２、２２７−３のそれぞれから、同じタイミングで、第１信号、第２信号、第３信号、診断対象外信号が順次入力される。
そこで、検出部２２４は、上記のように順次入力される第１信号、第２信号、第３信号、診断対象外信号ごとに検出を行う。つまり、検出部２２４は、第１信号、第２信号、第３信号、診断対象外信号を利用した検出項目の検出を時分割で行う。
【００８３】
［処理手順例］
図８のフローチャートは、図７に示した第３実施形態の監視装置２０２Ｂが実行する処理手順例を示している。
まず、検出部２２４は、無線通信装置１００に付した番号を示す変数ｎに初期値として１を代入する（ステップＳ１０１）。
次に、帯域分離部２２７−１、２２７−２、２２７−３は、それぞれ、受信データＲｄ１，Ｒｄ２，Ｒｄ３から、第ｎ無線通信装置１００−ｎに対応する通信周波数帯域の信号（第ｎ信号）を分離する（ステップＳ１０２）。
検出部２２４は、帯域分離部２２７−１、２２７−２、２２７−３のそれぞれにて分離された信号に基づいて、検出項目である送信レベル、パルス幅、周波数、送信源の位置を検出する（ステップＳ１０３）。
【００８４】
次に、検出部２２４は、変数ｎが無線通信装置１００の数である３以上か否かについて判定する（ステップＳ１０４）。
変数ｎが３未満である場合（ステップＳ１０４−ＮＯ）、検出部２２４は変数ｎをインクリメントして（ステップＳ１０５）、ステップＳ１０２に戻る。これにより、次の第ｎ無線通信装置１００−ｎに対応する第ｎ信号の分離と、第ｎ信号に基づく検出項目の検出が実行される。
そして、全ての第ｎ無線通信装置１００−ｎに対応する検出項目の検出が行われ、変数ｎが３以上となるのに応じて（ステップＳ１０４−ＹＥＳ）、監視部２２５は、以下の処理を実行する。つまり、監視部２２５は、これまでのステップＳ１０３による検出項目についての検出結果に基づき、無線通信装置１００ごとに診断を行う（ステップＳ１０６）。また、監視部２２５は、無線通信装置１００と同じ通信周波数帯域を利用する不正な無線通信装置の存在の有無について判定する（ステップＳ１０６）。
なお、図６にて説明したように、不正な無線通信装置が存在すると判定されるのに応じては、不正な無線通信装置の位置も併せて検出される。
【００８５】
次に、帯域分離部２２７−１、２２７−２、２２７−３は、それぞれ、受信データＲｄ１，Ｒｄ２，Ｒｄ３において、無線通信装置１００の通信周波数帯域以外の周波数帯域の信号が含まれていれば（ステップＳ１０７−ＹＥＳ）、その分離する（ステップＳ１０８）。
【００８６】
検出部２２４は、ステップＳ１０８により分離された信号が入力されるのに応じて、受信データに診断対象外信号が含まれていることを検出する(ステップＳ１０９)。
監視部２２５は、ステップＳ１０９により診断対象外信号が検出されるのに応じて、不正な無線通信装置が存在すると判定する（ステップＳ１１０）。なお、このように不正な無線通信装置が存在すると判定された場合には、併せて、不正な無線通信装置も特定される。
診断対象外の周波数帯域に含まれる信号が無い場合には（ステップＳ１０７−ＮＯ）、同図に示す処理を終了する。
監視装置２０２Ｂは、同図に示す処理を繰り返し実行する。これにより、監視装置２０２Ｂは、第１信号、第２信号、第３信号、診断対象外信号ごとに、順次、検出項目の検出を行い、検出結果に基づいた無線通信装置１００ごとの診断と、不正な無線通信装置の存在の判定とを行うことが可能になる。
【００８７】
以上述べた少なくともひとつの実施形態の監視システムでは、周波数帯域などの仕様の異なる複数の無線通信装置の動作を一括して的確に監視することが可能になる。
【００８８】
なお、これまでの説明においては、受信装置が、複数の無線通信装置から受信した信号を混合して監視装置に伝送するようにしている。しかし、受信装置が複数の無線通信装置から受信した信号を混合することなく個別に伝送するようにしてもよい。
【００８９】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９０】
１０…飛行場
２００…監視システム
２０１…受信装置
２０２…監視装置
２０３…モニタ
２１１…混合部
２１２…変換部
２１３…受信データ伝送部
２１４…分配部
２１５…時刻情報取得部
２１６…合成部
２２１…受信データ入力部
２２２…分配部
２２３…受信データ記録部
２２４…検出部
２２５…監視部
２２６…表示制御部
２２７…帯域分離部
３００…ＧＰＳ衛星
【図１】
2015056802.tif 000003
【図２】
2015056802.tif 000004
【図３】
2015056802.tif 000005
【図４】
2015056802.tif 000006
【図５】
2015056802.tif 000007
【図６】
2015056802.tif 000008
【図７】
2015056802.tif 000009
【図８】
2015056802.tif 000010